(57)【要約】【課題】伝送機器本体に過剰なハードウェアおよびソフトウェアを実装することなく、物理層インタフェース自体の伝送不具合の検出、またはＴＣＰ／ＩＰプロトコルベースの伝送機器本体の障害発生の通知ができる。【解決手段】ＴＣＰ／ＩＰプロトコルに従った通信手順でネットワーク側との通信制御ができるＴＣＰ／ＩＰプロトコルスタック制御部４を設け、状態センサ２が光モジュール本体１の送受信状態を基に伝送不具合の有無を検出したときに、制御部３は伝送不具合検出情報とその伝送指令をＴＣＰ／ＩＰプロトコルスタック制御部に与えると共に、直接に伝送機器本体５に伝送する。  伝送機器本体に障害発生があるときに、ＴＣＰ／ＩＰプロトコルに従ってネットワーク側への障害発生の通知を行うことも含む。【選択図】図１
2007251459.tif 000002
【特許請求の範囲】
【請求項１】
ＴＣＰ／ＩＰプロトコルベースの伝送機器本体とネットワーク上の外部装置との通信情報を、光モジュールまたはツイストペアインタフェースによって伝送する物理層インタフェースであって、
ＴＣＰ／ＩＰプロトコルに従った通信手順を有し、前記光モジュールまたはツイストペアインタフェースを通して前記外部装置との通信制御ができるＴＣＰ／ＩＰプロトコルスタック制御部と、
前記光モジュールまたはツイストペアインタフェースの送受信状態を基に伝送不具合の有無を検出する状態センサと、
前記状態センサが伝送不具合の発生を検出したときに、この伝送不具合検出情報とその伝送指令を前記ＴＣＰ／ＩＰプロトコルスタック制御部に与えると共に、ＴＣＰ／ＩＰプロトコルスタック制御部からの伝送不具合情報を直接に前記伝送機器本体に伝送する制御部とを備えたことを特徴とする物理層インタフェース。
【請求項２】
前記制御部は、前記伝送機器本体から障害発生の情報を伝送されたときに、前記ＴＣＰ／ＩＰプロトコルスタック制御部に、前記外部装置への該障害発生の通知を指令する制御手段を備えたことを特徴とする請求項１に記載の物理層インタフェース。
【発明の詳細な説明】
【技術分野】
【０００１】
本発明は、ＴＣＰ／ＩＰプロトコルベースの伝送機器本体とネットワーク上の外部装置との通信情報を、光モジュールまたはツイストペアインタフェースによって伝送する物理層インタフェースに係り、特にインテリジェント機能を搭載した物理層インタフェースに関する。
【背景技術】
【０００２】
ＴＣＰ／ＩＰプロトコルベースの通信システムにおいて、物理層インタフェースとしてはイーサネット（登録商標）光モジュールやツイストペアインタフェース等が使用される。この種のインタフェースにおいて、送信出力の低下に伴う伝送不具合、伝送機器本体の障害による伝送不具合は、通信システム上では排除すべき重大な障害である。これらの障害を取り除くために、例えば、光モジュール自体に自己診断機能を搭載し、内部折り返し、あるいは外部折り返しにより、伝送不具合の判断を行っていた（例えば、特許文献１参照）。
【０００３】
近年、これらの障害を取り除く手段として、例えば光モジュール自体にインテリジェント機能を搭載し、この光モジュールに接続される伝送機器本体が光モジュールからの伝送状態データを読み込み、光送信出力低下などを伝送不具合の判断材料として用いる場合が多い。
【０００４】
交換可能な光モジュールとして、ＳＦＰ（Ｓｍａｌｌ  Ｆｏｒｍ  ｆａｃｔｏｒ  Ｐｌｕｇｇａｂｌｅ）という方式が一般的になりつつある。このＳＦＰ方式による光モジュールも自己診断機能（インテリジェント機能）を備えている。
【特許文献１】特開平０８−２４９２０２号公報
【発明の開示】
【発明が解決しようとする課題】
【０００５】
前記のＳＦＰ方式などの光モジュールは、自己診断機能を備えているが、以下の問題がある。なお、ツイストペアインタフェース等を使用したインタフェースも同様の問題がある。
【０００６】
（１）光モジュールと接続される伝送機器本体は、光モジュールからの自己診断情報（伝送状態データ）を取り込むインテリジェントハードウェアが必要となる。
【０００７】
（２）上記の伝送機器本体は、インテリジェントハードウェアで取り込んだ自己診断情報から伝送不具合を判断処理するためのソフトウェアプロトコルスタックが必要となる。
【０００８】
（３）上記の伝送機器本体自体が致命的な障害に陥った場合、それを外部にネットワーク経由で通知することができない。
【０００９】
これら問題を解決するために、例えば、レイヤ２スイッチングハブでは不要なインテリジェント機能およびプロトコルスタックが必要になり、製品の複雑化、高価格化などの弊害をもたらす。
【００１０】
本発明の目的は、伝送機器本体に過剰なハードウェアおよびソフトウェアを実装することなく、物理層インタフェース自体の伝送不具合の検出、またはＴＣＰ／ＩＰプロトコルベースの伝送機器本体の障害発生の通知ができる物理層インタフェースを提供することにある。
【課題を解決するための手段】
【００１１】
本発明は、前記の課題を解決するため、物理層インタフェースにインテリジェント機能を搭載する。このインテリジェント機能は、インタフェース自体の送受信状態を基に伝送不具合の有無を監視し、伝送不具合の発生を検出したときにＴＣＰ／ＩＰプロトコルベースでネットワーク上に伝送すると共に伝送機器本体に直接に伝送し、さらに伝送機器本体側の障害発生をネットワーク上のエージェント等に通知するようにしたもので、以下の構成を特徴とする。
【００１２】
（１）ＴＣＰ／ＩＰプロトコルベースの伝送機器本体とネットワーク上の外部装置との通信情報を、光モジュールまたはツイストペアインタフェースによって伝送する物理層インタフェースであって、
ＴＣＰ／ＩＰプロトコルに従った通信手順を有し、前記光モジュールまたはツイストペアインタフェースを通して前記外部装置との通信制御ができるＴＣＰ／ＩＰプロトコルスタック制御部と、
前記光モジュールまたはツイストペアインタフェースの送受信状態を基に伝送不具合の有無を検出する状態センサと、
前記状態センサが伝送不具合の発生を検出したときに、この伝送不具合検出情報とその伝送指令を前記ＴＣＰ／ＩＰプロトコルスタック制御部に与えると共に、ＴＣＰ／ＩＰプロトコルスタック制御部からの伝送不具合情報を直接に前記伝送機器本体に伝送する制御部とを備えたことを特徴とする。
【００１３】
（２）前記制御部は、前記伝送機器本体から障害発生の情報を伝送されたときに、前記ＴＣＰ／ＩＰプロトコルスタック制御部に、前記外部装置への該障害発生の通知を指令する制御手段を備えたことを特徴とする。
【発明の効果】
【００１４】
以上のとおり、本発明によれば、物理層インタフェースに搭載するインテリジェント機能は、インタフェース自体の送受信状態を基に伝送不具合の有無を監視し、伝送不具合の発生を検出したときにＴＣＰ／ＩＰプロトコルベースでネットワーク上に伝送すると共に伝送機器本体に直接に伝送し、さらに伝送機器本体側の障害発生をネットワーク上のエージェント等に通知するようにしたため、以下の効果がある。
【００１５】
（１）伝送機器本体には、伝送不具合または障害発生時の通信伝送機能を確保するための、過剰なハードウェアおよびソフトウェアを実装する必要がなくなる。これにより、伝送機器本体の低価格化および故障率の低減が実現できる。
【００１６】
（２）伝送機器本体が回復不可能な状態に陥った場合など、障害発生になった場合でも、末端の物理層インタフェースによってその情報を他のネットワーク上の外部装置等に対して通知することが可能になる。
【発明を実施するための最良の形態】
【００１７】
（実施形態１）
図１は、本発明の実施形態を示す構成図である。破線ブロックは、物理層インタフェースとしての光モジュールの全体構成を示し、光モジュール本体１と状態センサ２と制御部３とＴＣＰ／ＩＰプロトコルスタック制御部４で構成される。５は伝送機器本体であり、ツイストペア線６によって光モジュールとの間で電気信号を送受信する。７は光ファイバであり、ネットワークと光モジュールとの間で光信号を送受信する。
【００１８】
光モジュール本体１は、ＬＤ素子（半導体レーザ）およびＰＤ素子（フォトダイオード）を内蔵し、光ファイバ７を通した光データ送受信と、ツイストペア線６を通して伝送機器本体５のインタフェース側との間の電気信号によるデータ送受信を行う。
【００１９】
状態センサ２は、光モジュール本体１の送受信状態を基に伝送不具合の有無を監視、例えば、ＬＤ素子の光出力が一定の閾値以下になったときに光モジュール本体１の送信出力の低下を伝送不具合として検出し、またツイストペア線６や伝送機器本体５側の信号劣化や喪失等を伝送不具合として検出する。
【００２０】
制御部３は、状態センサ２が伝送不具合の発生を検出したときに、この伝送不具合検出情報とその伝送指令をＴＣＰ／ＩＰプロトコルスタック制御部４に与える。
【００２１】
ＴＣＰ／ＩＰプロトコルスタック制御部４は、伝送不具合検出情報が与えられたときに、ＴＣＰ／ＩＰプロトコルに従った通信手順で伝送不具合情報を光モジュール本体１を通してネットワーク上のエージェント等に通知、および伝送機器本体５に伝送する。この情報伝送には、光モジュール本体１に対するＴＲＡＰ情報として与えられ、光モジュール本体１から光ファイバ７を通して、ネットワーク上のエージェント等に伝送すると共に、制御部３を通してＴＣＰ／ＩＰプロトコルに従った通信手順で直接に伝送機器本体５に伝送する。
【００２２】
ＴＣＰ／ＩＰプロトコルスタック制御部４としては、ワンチップで構成される専用ＩＣにより構成可能であり、この専用ＩＣにより伝送不具合情報を載せた特定のパケットをネットワーク上に送出する。例えば、ＳＮＭＰ（Ｓｉｍｐｌｅ  Ｎｅｔｗｏｒｋ  Ｍａｎａｇｅｍｅｎｔ  Ｐｒｏｔｏｃｏｌ）におけるＴＲＡＰ情報などである。これは割り込み的に送信可能な情報であり、ＳＮＭＰを統括するエージェント（他のネットワークノードに実装）がそれを受け、ネットワークおよび伝送機器本体の管理情報として処理することができる。
【００２３】
したがって、本実施形態によれば、光モジュールと接続される伝送機器本体５は、光モジュールからの自己診断情報（伝送状態データ）を取り込むインテリジェントハードウェアが不要となる。また、伝送機器本体５は、取り込んだ自己診断情報から伝送不具合を判断処理するためのソフトウェアプロトコルスタックが不要となる。また、伝送機器本体５自体が致命的な障害に陥った場合、それを外部にネットワーク経由で通知することができる。
【００２４】
なお、本実施形態において、光モジュール本体１に代えて、伝送路をツイストペア線としたツイストペアインタフェースに上記のインタフェース機能を搭載して、同等の作用効果を得ることができる。
【００２５】
（実施形態２）
図２は、本実施形態を示す光モジュールの構成図である。同図が図１と異なる部分は、伝送機器本体５の障害発生情報を光モジュールが受け、ＴＣＰ／ＩＰプロトコルスタック制御部４により能動的に情報フレームをネットワーク上のエージェント等に送信する。
【００２６】
ＴＣＰ／ＩＰプロトコルスタック制御部４による障害発生情報の伝送は、図１の場合と同様に、ＴＣＰ／ＩＰプロトコルに従った通信手順で、光ファイバ本体１を通して光伝送する。
【００２７】
（実施形態３）
図３は、本実施形態を示す光モジュールの構成図である。実施形態２の場合はインタフェースが光モジュールの場合であるが、本実施形態ではツイストペア線のインタフェースの場合であり、光モジュール本体１に代えて、ツイストペアコネクタ１Ａを通して、伝送機器本体５の障害発生情報フレームをネットワーク上に伝送する。
【図面の簡単な説明】
【００２８】
【図１】本発明の実施形態１を示す物理層インタフェースの構成図。
【図２】本発明の実施形態２を示す物理層インタフェースの構成図。
【図３】本発明の実施形態３を示す物理層インタフェースの構成図。
【符号の説明】
【００２９】
１  光モジュール本体
２  状態センサ
３  制御部
４  ＴＣＰ／ＩＰプロトコルスタック制御部
５  伝送機器本体
６  ツイストペア線
７  光ファイバ
１Ａ  ツイストペアコネクタ
【図１】
2007251459.tif 000003
【図２】
2007251459.tif 000004
【図３】
2007251459.tif 000005